(57)【要約】【課題】ブレース材を高強度のものにしたり、ブレース材や横架材を増やすことなく、高い水平耐力を得ることができる床構造を提供する。【解決手段】床部３の下面に複数の根太４が固定されて構成される床パネル１と、上フランジ２２の上面が床パネル１の載置面２２ａとなる型鋼からなる複数の横架材２と、を備える。根太４は、下方よりボルト６が螺着可能なボルト固定部４３を備える。横架材２は、上フランジ２２にボルト６が挿通可能な挿通孔２４が形成されている。床パネル１の根太４が横架材２の上フランジ２２の上面に載置された状態で、ボルト６が上フランジ２２の下方より挿通孔２４を挿通してボルト固定部４３に螺着されることで、床パネル１が横架材２に固定される。【選択図】図１
2014070420.tif 000002
【特許請求の範囲】
【請求項１】
床部の下面に複数の根太が固定されて構成される床パネルと、
上片の上面が前記床パネルの載置面となる型鋼からなる複数の横架材と、を備え、
前記根太は、下方よりボルトが螺着可能なボルト固定部を備え、
前記横架材は、前記上片に前記ボルトが挿通可能な挿通孔が形成されており、
前記床パネルの前記根太が前記横架材の前記上片の上面に載置された状態で、前記ボルトが前記上片の下方より前記挿通孔を挿通して前記ボルト固定部に螺着されることで、前記床パネルが前記横架材に固定されて成ることを特徴とする床構造。
【請求項２】
前記横架材が、ウェブと、前記上片となる上フランジと、下フランジと、を有するＨ型鋼で形成され、
前記根太が、中空部材からなりその下片に前記ボルト固定部となるナットが設けられることを特徴とする請求項１記載の床構造。
【発明の詳細な説明】
【技術分野】
【０００１】
本発明は、床構造に関するものである。
【背景技術】
【０００２】
従来より、例えばプレハブ住宅の上階の床におけるような床構造として、図５に示すように、床パネル１が床梁等の横架材２の上フランジ２２の上面に載置され、挟み具のような固定金物３３で固定される床構造が知られている（例えば特許文献１参照）。
【０００３】
床パネル１は、パーティクルボードからなる床板３１が、ＡＬＣ（Autoclaved Lightweight Concrete）板３２に固定されて構成されている。図中の符号８は床仕上げ材である。
【先行技術文献】
【特許文献】
【０００４】
【特許文献１】特開２００６−１５３３７８号公報
【発明の概要】
【発明が解決しようとする課題】
【０００５】
ところで、上記のようなパーティクルボードからなる床板３１とＡＬＣ板３２とからなる床パネル１を固定金物３３により横架材２に固定する従来の床構造にあっては、水平耐力に乏しい。このため、図５、図６（ａ）に示すように、横架材２間にブレース材７を張設して、水平耐力の向上を図っている。
【０００６】
しかし、図６（ａ）の全部または一部の床パネル１（符号ＮＧの床パネル１）において水平耐力が不足する場合、高強度のブレース材７に差し替えたり、図６（ｂ）に示すように、床を小割にして横架材２間に新たな横架材２を架設し、新たに形成される区画にそれぞれブレース材７を張設することで、水平耐力を補っていた。
【０００７】
この場合、高強度のブレース材７が必要となったり、横架材２やブレース材７が余分に必要となるため、コストが増加してしまうものであった。
【０００８】
本発明は上記従来の問題点に鑑みて発明したものであって、その目的とするところは、ブレース材を高強度のものにしたり、ブレース材や横架材を増やすことなく、高い水平耐力を得ることができる床構造を提供することを課題とするものである。
【課題を解決するための手段】
【０００９】
上記課題を解決するために、請求項１に係る床構造は、床部の下面に複数の根太が固定されて構成される床パネルと、上片の上面が前記床パネルの載置面となる型鋼からなる複数の横架材と、を備え、前記根太は、下方よりボルトが螺着可能なボルト固定部を備え、前記横架材は、前記上片に前記ボルトが挿通可能な挿通孔が形成されており、前記床パネルの前記根太が前記横架材の前記上片の上面に載置された状態で、前記ボルトが前記上片の下方より前記挿通孔を挿通して前記ボルト固定部に螺着されることで、前記床パネルが前記横架材に固定されて成ることを特徴とする。
【００１０】
また、請求項２に係る発明は、請求項１に係る発明において、前記横架材が、ウェブと、前記上片となる上フランジと、下フランジと、を有するＨ型鋼で形成され、前記根太が、中空部材からなりその下片に前記ボルト固定部となるナットが設けられることを特徴とする。
【発明の効果】
【００１１】
請求項１に係る発明にあっては、ブレース材を高強度のものにしたり、ブレース材や横架材を増やすことなく、高い水平耐力を得ることができ、コストの増加を抑えることができる。
【００１２】
請求項２に係る発明にあっては、簡単な構成で、床パネルおよび横架材を構成することができる。
【図面の簡単な説明】
【００１３】
【図１】本発明の床構造の一実施形態の要部断面図である。
【図２】同上の実施形態における床パネルを示し、（ａ）は平面図であり、（ｂ）は側面図であり、（ｃ）は正面図である。
【図３】同上の実施形態の床構造の斜視図である。
【図４】同上の実施形態の床構造の平面図である。
【図５】従来の床構造の要部断面図である。
【図６】従来の床構造を示し、（ａ）は水平耐力が不足する場合の平面図であり、（ｂ）は従来における水平耐力の不足を解消する場合の平面図である。
【発明を実施するための形態】
【００１４】
以下、本発明の床パネル１と横架材２とを備えてなる床構造の一実施形態として、図１〜図４に示すようなプレハブ住宅の上階の床構造について説明する。
【００１５】
床パネル１は、図２に示すように、床部３の下面に複数の根太４が固定されて構成される。床部３は、本実施形態では無垢の木材、パーティクルボードやＭＤＦ（Medium Density Fiberboard）等の木質材が用いられるが、ＡＬＣ（Autoclaved Lightweight Concrete）等でもよく、材質は特に限定されない。また本実施形態では、図４に示すように、床部３は、平面視において２Ｐ×３Ｐの大きさとなっている。ここで、Ｐはモジュールの一単位であり、例えば１ｍや９０ｃｍ（本実施形態では９０ｃｍ）等、適宜設定される。
【００１６】
根太４は、本実施形態では、図２に示すように、断面ロ字状をした中空の鉄材（鋼材）で形成されるものであるが、本発明の根太４としては、断面ロ字状をしたものではなく、Ｃ型のチャンネル材等、形状は特に限定されず、また材質も他の金属であってもよい。この根太４の下片４１には、横架材２と根太４とを接続するためのボルト６が挿通可能な挿通孔（不図示）が穿設され、下片４１の内面（上面）の前記挿通孔の周囲に、前記ボルト６と螺合する雌ねじを有するボルト固定部４３（本実施形態ではナット４４）が固定される。なお、本実施形態では下片４１にナット４４を固定してボルト固定部４３を形成しているが、ナット４４ではなく雌ねじを形成したブロック状の部材を固定したり、下片４１を厚く形成してこの下片４１に雌ねじを形成することで、ボルト固定部４３を形成してもよい。
【００１７】
横架材２は、床梁や桁等の構造材であり、前記のような種別は限定されないが、本発明においては型鋼が用いられる。本実施形態では、図１に示すように、ウェブ２１と、ウェブ２１の上下端にそれぞれ上片となる上フランジ２２と下フランジ２３とを有するＨ型鋼であるが、Ｃ型のチャンネル材やＩ型鋼や他の型鋼であってもよく、形状は特に限定されない。横架材２は、上フランジ２２が上方に面し下フランジ２３が下方に面する状態で、柱等の構造材に架設される。
【００１８】
横架材２の上フランジ２２に、横架材２と根太４とを接続するためのボルト６が挿通される挿通孔２４が穿設される。この挿通孔２４は、上フランジ２２のウェブ２１が接続されている部分を挟んだ両側に、それぞれ穿設されている。そして、上フランジ２２の上面が根太４の載置面２２ａとなる。
【００１９】
次に、床パネル１の横架材２への固定について説明する。
【００２０】
図３に示すように、根太４は、その下面が横架材２の上フランジ２２の載置面２２ａに載置される。そして、下方より、横架材２と根太４とを接続するボルト６が、上フランジ２２に穿設された挿通孔２４および根太４の下片４１に穿設された挿通孔に挿入され、下片４１に固定されたナット４４の雌ねじに螺合され、締結される。このように、横架材２をＨ型鋼で形成してその上フランジ２２に挿通孔２４を穿設し、根太４を中空部材で構成してその下片４１にナット４４を固定してボルト固定部４３を形成することで、簡単な構成で、横架材２と床パネル１の固定を強固に且つ確実に行うことが可能となるものである。
【００２１】
そして、図４に示すように、複数の床部３が、横架材２に固定されて、床面が構成される。
【００２２】
本発明における床構造にあっては、床部３に複数の根太４が固定されて床パネル１が構成されていると共に、根太４は従来の挟み具のような固定金物３３で固定するのではなく、横架材２にボルト６およびナット４４からなるボルト固定部４３により固定している。このため、横架材２に床パネル１が固定されてなる床の終局耐力が、図６（ａ）の符号ＮＧの床パネル１における終局耐力よりも高くなり、水平耐力が向上するものである。
【００２３】
これにより、図６（ａ）の符号ＮＧのような従来の床パネル１では水平耐力が不足する場合でも、高強度のブレース材７に差し替えたり、図６（ｂ）に示すように、床を小割にして新たな横架材２やブレース材７を設けて水平耐力を補う必要がないものである。この結果、新たな横架材２やブレース材７を設けることによるコストの増加を抑えることが可能となる。
【符号の説明】
【００２４】
１    床パネル
２    横架材
２２  上フランジ
２２ａ  載置面
２４  挿通孔
３    床部
４    根太
４１  下片
４３  ボルト固定部
４４  ナット
５    ビス
６    ボルト
７    ブレース材
８    床仕上げ材
【図１】
2014070420.tif 000003
【図２】
2014070420.tif 000004
【図３】
2014070420.tif 000005
【図４】
2014070420.tif 000006
【図５】
2014070420.tif 000007
【図６】
2014070420.tif 000008